【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
エンコーダがビデオデータを符号化するための方法であって、
ビデオデータのコード化単位に対して、前記コード化単位に関連する予測単位の数を定義する予測タイプと、前記コード化単位が全体として予測されるかどうかを決定することと、
前記予測タイプが、前記コード化単位が全体として予測されるタイプではない場合、少なくとも１つの予測されたイントラ予測モードを含まない複数の利用可能なイントラ予測モードのセットを生成することと、
前記予測タイプが、前記コード化単位が全体として予測されるタイプである場合、前記少なくとも１つの予測されたイントラ予測モードを含む前記利用可能なイントラ予測モードのセットを生成することと、
前記利用可能なイントラ予測モードから１つのイントラ予測モードを選択することと、
前記コード化単位を符号化するために選択された前記イントラ予測モードを適用することと、を備える、方法。
【請求項２】
デコーダがビデオデータを符号化するための方法であって、
ビデオデータのコード化単位に対して、前記コード化単位に関連する予測単位の数を定義する予測タイプと、前記コード化単位が全体として予測されるかどうかを決定することと、
前記予測タイプが、前記コード化単位が全体として予測されるタイプではない場合、少なくとも１つの予測されたイントラ予測モードを含まない複数の利用可能なイントラ予測モードのセットを生成することと、前記予測タイプが、前記コード化単位が全体として予測されるタイプである場合、前記少なくとも１つの予測されたイントラ予測モードを含む前記利用可能なイントラ予測モードのセットを生成することと、
前記利用可能なイントラ予測モードから１つのイントラ予測モードを選択することと、
前記コード化単位を復号するために選択された前記イントラ予測モードを適用することと、を備える、方法。
【請求項３】
最有望モードを決定すること、及び前記最有望モードに基づいて、選択され、適用された前記イントラ予測モードを信号伝達することをさらに備え、前記最有望モードを決定することが、少なくとも１つの隣接コード化単位のイントラ予測モードに基づいて前記最有望モードとしてイントラ予測モードを識別することを備える、請求項１または２に記載の方法。
【請求項４】
前記利用可能なイントラ予測モードのセットがプレーンイントラ予測モードを含まず、前記プレーンイントラ予測モードが前記最有望モードであると決定されたとき、前記少なくとも１つの隣接コード化単位を異なるイントラ予測モードにマッピングし、前記少なくとも１つのマッピングされた隣接コード化単位に基づいて前記最有望モードを決定することをさらに備える、請求項３に記載の方法。
【請求項５】
前記利用可能なイントラ予測モードのセットがプレーンイントラ予測モードを含まず、前記プレーンイントラ予測モードが前記最有望モードであると決定されたとき、プレーンモードの代わりに別の予め定義されたイントラ予測モードを選択することをさらに備える、請求項３に記載の方法。
【請求項６】
前記コード化単位を復号するために前記利用可能なイントラ予測モードのうちの１つを適用することは、前記コード化単位を復号するために前記利用可能なイントラ予測モードのうちの１つを適用することを備える、請求項３に記載の方法。
【請求項７】
前記コード化単位を符号化するために前記利用可能なイントラ予測モードのうちの１つを適用することは、前記コード化単位を符号化するために前記利用可能なイントラ予測モードのうちの１つを適用することを備える、請求項１に記載の方法。
【請求項８】
前記コード化単位が全体として予測されるかどうかを決定することは、前記コード化単位が単一の予測単位をもつ２Ｎ×２Ｎタイプとして予測されるかどうかを決定することを含む、請求項１または２に記載の方法。
【請求項９】
前記イントラ予測モードのセットを生成することは、前記コード化単位が２Ｎ×２Ｎタイプとして予測されたときに、前記利用可能なイントラ予測モードのセット中にプレーンイントラ予測モードを含めることを備える、請求項８に記載の方法。
【請求項１０】
前記予測タイプを決定することは、前記コード化単位が４つの予測単位をもつＮ×Ｎタイプとして予測されるかどうかを決定することを含む、請求項１に記載の方法。
【請求項１１】
前記イントラ予測モードのセットを生成することは、前記コード化単位がＮ×Ｎタイプとして予測されたときに、前記利用可能なイントラ予測モードのセット中でプレーンイントラ予測モードを利用不可能にすることを備える、請求項１０に記載の方法。
【請求項１２】
前記利用可能なイントラ予測モードから前記イントラ予測モードを選択することは、少なくとも１つの隣接コード化単位のイントラ予測モードに基づいて最有望モードを決定することを備え、前記利用可能なイントラ予測モードのセットがプレーンイントラ予測モードを含まず、前記プレーンイントラ予測モードが前記最有望モードであると決定されたとき、前記少なくとも１つの隣接コード化単位を隣接コード化単位の実際のイントラ予測モードとは異なる、異なるイントラ予測モードにマッピングし、前記少なくとも１つのマッピングされた隣接コード化単位に基づいて前記最有望モードを決定する、請求項１または２に記載の方法。
【請求項１３】
前記利用可能なイントラ予測モードから前記イントラ予測モードを選択することは、前記利用可能なイントラ予測モードのセットがプレーンイントラ予測モードを含まず、前記プレーンイントラ予測モードが最有望モードであると決定されたときに、プレーンモード以外の予め定義されたイントラ予測モードを前記最有望モードであると決定することと、そうでない場合には、少なくとも１つの隣接コード化単位のイントラ予測モードに基づいて、前記最有望モードを決定することを備える、請求項１または２に記載の方法。
【請求項１４】
ビデオデータを符号化するための装置であって、
ビデオデータのコード化単位に対して、前記コード化単位に関連する予測単位の数を定義する予測タイプと、前記コード化単位が全体として予測されるかどうかを決定することと、
前記予測タイプが、前記コード化単位が全体として予測されるタイプではない場合、少なくとも１つの予測されたイントラ予測モードを含まない複数の利用可能なイントラ予測モードのセットを生成することと、
前記予測タイプが、前記コード化単位が全体として予測されるタイプである場合、前記少なくとも１つの予測されたイントラ予測モードを含む前記利用可能なイントラ予測モードのセットを生成することと、
前記利用可能なイントラ予測モードからイントラ予測モードを選択することと、
前記コード化単位を符号化するために前記選択されたイントラ予測モードを適用することと
を行うように構成される１つ以上のプロセッサを備える、装置。
【請求項１５】
ビデオデータを復号するための装置であって、
ビデオデータのコード化単位に対して、前記コード化単位に関連する予測単位の数を定義する予測タイプと、前記コード化単位が全体として予測されるかどうかを決定することと、
前記予測タイプが、前記コード化単位が全体として予測されるタイプではない場合、少なくとも１つの予測されたイントラ予測モードを含まない利用可能なイントラ予測モードのセットを生成することと、
前記予測タイプが、前記コード化単位が全体として予測されるタイプである場合、前記少なくとも１つの予測されたイントラ予測モードを含む前記利用可能なイントラ予測モードのセットを生成することと、
前記利用可能なイントラ予測モードからイントラ予測モードを選択することと、
前記コード化単位を復号するために前記選択されたイントラ予測モードを適用することと
を行うように構成される１つ以上のプロセッサを備える、装置。
【請求項１６】
前記１つ以上のプロセッサは、最有望モードを決定すること、及び前記最有望モードに基づいて、選択され、適用された前記イントラ予測モードを信号伝達することを行うようにさらに構成され、前記最有望モードを決定するために、前記１つ以上のプロセッサは少なくとも１つの隣接コード化単位のイントラ予測モードに基づいて前記最有望モードとしてイントラ予測モードを識別するように構成される、請求項１４または１５に記載の装置。
【請求項１７】
前記１つ以上のプロセッサは前記利用可能なイントラ予測モードのセットがプレーンイントラ予測モードを含まず、前記プレーンイントラ予測モードが前記最有望モードであると決定されたとき、前記少なくとも１つの隣接コード化単位を異なるイントラ予測モードにマッピングし、前記少なくとも１つのマッピングされた隣接コード化単位に基づいて前記最有望モードを決定するようにさらに構成される、請求項１６に記載の装置。
【請求項１８】
前記１つ以上のプロセッサは前記利用可能なイントラ予測モードのセットがプレーンイントラ予測モードを含まず、前記プレーンイントラ予測モードが前記最有望モードであると決定されたとき、プレーンモードの代わりに別の予め定義されたイントラ予測モードを選択するように更に構成される、請求項１６に記載の装置。
【請求項１９】
前記１つ以上のプロセッサは、前記コード化単位が単一の予測単位をもつ２Ｎ×２Ｎタイプとして予測されるかどうかを決定することによって、前記コード化単位が全体として予測されるかどうかを決定するように構成された、請求項１４または１５に記載の装置。
【請求項２０】
前記１つ以上のプロセッサは、前記コード化単位が２Ｎ×２Ｎタイプとして予測されたときに、前記利用可能なイントラ予測モードのセット中にプレーンイントラ予測モードを含めることによって、前記イントラ予測モードのセットを生成するように構成された、請求項１９に記載の装置。
【請求項２１】
前記１つ以上のプロセッサは、前記コード化単位が４つの予測単位をもつＮ×Ｎタイプとして予測されるかどうかを決定することによって、前記予測タイプを決定するように構成された、請求項１４または１５に記載の装置。
【請求項２２】
前記イントラ予測モードのセットを生成するために、前記１つ以上のプロセッサは、前記コード化単位がＮ×Ｎタイプとして予測されたときに、前記利用可能なイントラ予測モードのセット中でプレーンイントラ予測モードを利用不可能にするように構成された、請求項２１に記載の装置。
【請求項２３】
前記１つ以上のプロセッサがビデオ復号装置の構成要素である、請求項１５に記載の装置。
【請求項２４】
前記１つ以上のプロセッサがビデオ符号化装置の構成要素である、請求項１６に記載の装置。
【請求項２５】
ビデオデータを符号化するための装置であって、
ビデオデータのコード化単位に対して、前記コード化単位に関連する予測単位の数を定義する予測タイプを決定し、前記コード化単位が全体として予測されるかどうかを決定するためとの手段と、
前記予測タイプが、前記コード化単位が全体として予測されるタイプではない場合、少なくとも１つの予測されたイントラ予測モードを含まない、複数の利用可能なイントラ予測モードのセットを生成し、前記予測タイプが、前記コード化単位が全体として予測されるタイプである場合、前記少なくとも１つの予測されたイントラ予測モードを含む前記利用可能なイントラ予測モードのセットを生成するための手段と、
前記利用可能なイントラ予測モードからイントラ予測モードを選択するための手段と、
前記コード化単位を符号化するために前記選択されたイントラ予測モードを適用するための手段と、
を備える、装置。
【請求項２６】
ビデオデータを復号するための装置であって、
ビデオデータのコード化単位に対して、前記コード化単位に関連する予測単位の数を定義する予測タイプを決定し、前記コード化単位が全体として予測されるかどうかを決定するためとの手段と、
前記予測タイプが、前記コード化単位が全体として予測されるタイプではない場合、少なくとも１つの予測されたイントラ予測モードを含まない、複数の利用可能なイントラ予測モードのセットを生成し、前記予測タイプが、前記コード化単位が全体として予測されるタイプである場合、前記少なくとも１つの予測されたイントラ予測モードを含む前記利用可能なイントラ予測モードのセットを生成するための手段と、
前記利用可能なイントラ予測モードからイントラ予測モードを選択するための手段と、
前記コード化単位を復号化するために前記選択されたイントラ予測モードを適用するための手段と、
を備える、装置。
【請求項２７】
最有望モードを決定するための手段と、前記最有望モードに基づいて、選択され、適用された前記イントラ予測モードを信号伝達するための手段とをさらに備え、前記最有望モードを決定するための手段が、少なくとも１つの隣接コード化単位のイントラ予測モードに基づいて前記最有望モードとしてイントラ予測モードを識別するための手段を備える、請求項２５または２６に記載の装置。
【請求項２８】
前記利用可能なイントラ予測モードのセットがプレーンイントラ予測モードを含まず、前記プレーンイントラ予測モードが前記最有望モードであると決定されたとき、前記少なくとも１つの隣接コード化単位を異なるイントラ予測モードにマッピングし、前記少なくとも１つのマッピングされた隣接コード化単位に基づいて前記最有望モードを決定するための手段をさらに備える、請求項２７に記載の装置。
【請求項２９】
前記利用可能なイントラ予測モードのセットがプレーンイントラ予測モードを含まず、前記プレーンイントラ予測モードが前記最有望モードであると決定されたとき、プレーンモードの代わりに別の予め定義されたイントラ予測モードを選択するための手段をさらに備える、請求項２７に記載の装置。
【請求項３０】
前記コード化単位が全体として予測されるかどうかを決定するための手段は、前記コード化単位が単一の予測単位をもつ２Ｎ×２Ｎタイプとして予測されるかどうかを決定するための手段を含む、請求項２５または２６に記載の装置。
【請求項３１】
前記イントラ予測モードのセットを生成するための手段は、前記コード化単位が２Ｎ×２Ｎタイプとして予測されたときに、前記利用可能なイントラ予測モードのセット中にプレーンイントラ予測モードを含めるための手段を備える、請求項３０に記載の装置。
【請求項３２】
前記予測タイプを決定するための手段は、前記コード化単位が４つの予測単位をもつＮ×Ｎタイプとして予測されるかどうかを決定するための手段を含む、請求項２５または２６に記載の装置。
【請求項３３】
前記イントラ予測モードのセットを生成するための手段は、前記コード化単位がＮ×Ｎタイプとして予測されたときに、前記利用可能なイントラ予測モードのセット中でプレーンイントラ予測モードを利用不可能にするための手段を備える、請求項３２に記載の装置。
【請求項３４】
前記装置がビデオ復号装置を備える、請求項２５または２６に記載の装置。
【請求項３５】
前記装置がビデオ符号化装置を備える、請求項２５または２６に記載の装置。
【請求項３６】
前記利用可能なイントラ予測モードから前記イントラ予測モードを選択するための手段は、少なくとも１つの隣接コード化単位のイントラ予測モードに基づいて最有望モードを決定するための手段を備え、前記利用可能なイントラ予測モードのセットがプレーンイントラ予測モードを含まず、前記プレーンイントラ予測モードが前記最有望モードであると決定されたとき、前記少なくとも１つの隣接コード化単位を隣接コード化単位の実際のイントラ予測モードとは異なる、異なるイントラ予測モードにマッピングし、前記少なくとも１つのマッピングされた隣接コード化単位に基づいて前記最有望モードを決定する、請求項２５または２６に記載の装置。
【請求項３７】
前記利用可能なイントラ予測モードから前記イントラ予測モードを選択するための手段は、前記利用可能なイントラ予測モードのセットがプレーンイントラ予測モードを含まず、前記プレーンイントラ予測モードが最有望モードであると決定されたときに、プレーンモード以外の予め定義されたプレーンイントラ予測モードを前記最有望モードとして決定することと、そうでない場合には、少なくとも１つの隣接コード化単位のイントラ予測モードに基づいて、前記最有望モードを決定することを備える、請求項２５または２６に記載の装置。
【請求項３８】
実行されたとき、
ビデオデータのコード化単位に対して、前記コード化単位に関連する予測単位の数を定義する予測タイプと、前記コード化単位が全体として予測されるかどうかを決定することと、
前記予測タイプが、前記コード化単位が全体として予測されるタイプではない場合、少なくとも１つの予測されたイントラ予測モードを含まない複数の利用可能なイントラ予測モードのセットを生成することと、前記予測タイプが、前記コード化単位が全体として予測されるタイプである場合、前記少なくとも１つの予測されたイントラ予測モードを含む前記利用可能なイントラ予測モードのセットを生成することと、
前記利用可能なイントラ予測モードからイントラ予測モードを選択することと、
前記コード化単位を符号化するために選択された前記イントラ予測モードを適用することと、
を、ビデオデータを符号化するための機器のプロセッサに行わせる命令を記憶したコンピュータ可読記憶媒体。
【請求項３９】
実行されたとき、
ビデオデータのコード化単位に対して、前記コード化単位に関連する予測単位の数を定義する予測タイプと、前記コード化単位が全体として予測されるかどうかを決定することと、
前記予測タイプが、前記コード化単位が全体として予測されるタイプではない場合、少なくとも１つの予測されたイントラ予測モードを含まない複数の利用可能なイントラ予測モードのセットを生成することと、前記予測タイプが、前記コード化単位が全体として予測されるタイプである場合、前記少なくとも１つの予測されたイントラ予測モードを含む前記利用可能なイントラ予測モードのセットを生成することと、
前記利用可能なイントラ予測モードからイントラ予測モードを選択することと、
前記コード化単位を復号化するために選択された前記イントラ予測モードを適用することと、
を、ビデオデータを復号するための機器のプロセッサに行わせる命令を記憶したコンピュータ可読記憶媒体。
【請求項４０】
最有望モードを決定することと、前記最有望モードに基づいて、選択され、適用された前記イントラ予測モードを信号伝達することとを前記プロセッサに行わせる命令をさらに備え、前記最有望モードを決定することが、少なくとも１つの隣接コード化単位のイントラ予測モードに基づいて前記最有望モードとしてイントラ予測モードを識別することを備える、請求項３８または３９に記載のコンピュータ可読記憶媒体。
【請求項４１】
前記利用可能なイントラ予測モードのセットがプレーンイントラ予測モードを含まず、前記プレーンイントラ予測モードが前記最有望モードであると決定されたとき、前記少なくとも１つの隣接コード化単位を異なるイントラ予測モードにマッピングし、前記少なくとも１つのマッピングされた隣接コード化単位に基づいて前記最有望モードを決定することを前記プロセッサに行わせる命令をさらに備える、請求項４０に記載のコンピュータ可読記憶媒体。
【請求項４２】
前記利用可能なイントラ予測モードのセットがプレーンイントラ予測モードを含まず、前記プレーンイントラ予測モードが前記最有望モードであると決定されたとき、プレーンモードの代わりに別の予め定義されたイントラ予測モードを選択することを前記プロセッサに行わせる命令をさらに備える、請求項４０に記載のコンピュータ可読記憶媒体。
【請求項４３】
前記コード化単位が全体として予測されるかどうかを決定するために、前記命令は、前記コード化単位が単一の予測単位をもつ２Ｎ×２Ｎタイプとして予測されるかどうかを決定することを前記プロセッサに行わせる、請求項３８または３９に記載のコンピュータ可読記憶媒体。
【請求項４４】
前記コード化単位が２Ｎ×２Ｎタイプとして予測されたときに、前記利用可能なイントラ予測モードのセット中にプレーンイントラ予測モードを含めることを前記プロセッサに行わせる命令をさらに備える、請求項４３に記載のコンピュータ可読記憶媒体。
【請求項４５】
前記コード化単位が４つの予測単位をもつＮ×Ｎタイプとして予測されるかどうかを決定することを前記プロセッサに行わせる命令をさらに備える、請求項３８または３９に記載のコンピュータ可読記憶媒体。
【請求項４６】
前記コード化単位がＮ×Ｎタイプとして予測されたときに、前記利用可能なイントラ予測モードのセット中でプレーンイントラ予測モードを利用不可能にすることを前記プロセッサに行わせる命令をさらに備える、請求項４５に記載のコンピュータ可読記憶媒体。
【請求項４７】
前記利用可能なイントラ予測モードから前記イントラ予測モードを選択するために、前記命令は、少なくとも１つの隣接コード化単位のイントラ予測モードに基づいて最有望モードを決定することを前記プロセッサに行わせ、前記利用可能なイントラ予測モードのセットがプレーンイントラ予測モードを含まず、前記プレーンイントラ予測モードが前記最有望モードであると決定されたとき、前記少なくとも１つの隣接コード化単位を隣接コード化単位の実際のイントラ予測モードとは異なる、異なるイントラ予測モードにマッピングし、前記少なくとも１つのマッピングされた隣接コード化単位に基づいて前記最有望モードを決定することを前記プロセッサに行わせる命令をさらに備える、請求項３８または３９に記載のコンピュータ可読記憶媒体。
【請求項４８】
前記利用可能なイントラ予測モードから前記イントラ予測モードを選択するために、前記命令は、前記利用可能なイントラ予測モードのセットがプレーンイントラ予測モードを含まず、前記プレーンイントラ予測モードが最有望モードであると決定されたときに、プレーンモード以外の予め定義されたイントラ予測モードを前記最有望モードであると決定することを前記プロセッサに行わせ、そうでない場合には、少なくとも１つの隣接コード化単位のイントラ予測モードに基づいて、前記最有望モードを決定することを前記プロセッサに行わせる命令をさらに備える、請求項３８または３９に記載のコンピュータ可読記憶媒体。